(57)【要約】      （修正有）【課題】ガラス展示品の大小や形状に関係なく、安価で経済的に総ての大小地震に対しい安全で確実に対応できるガラス展示品固定を提供する。【解決手段】鉄板３に鏡２を接着し、鏡２の上にガラス展示品１を最良の位置に置き、ガラス展示品１低部の複数カ所をあけて（低部斜線カ所）接着剤を塗布し、固定することにより、ガラス展示品１を地震から安全で確実に保護できる。【選択図】図１
0003179975.tif 000002
【実用新案登録請求の範囲】
【請求項１】
ガラス展示品を展示する展示台に、金属板を配置し、その上に強力接着剤にて鏡を接着し、鏡の上に各種の形状とか大小に関係なくガラス展示品を最良の位置に配置し、
ガラス展示品低部と鏡とを強力接着剤で接着し、ガラス展示品を固定して地震に対して、ガラス展示品が転倒、落下による破損、損傷を防止することを、特徴とする耐震用ガラス展示品固定。
【請求項２】
ガラス展示品低部を鏡に接着するとき、ガラス展示品を交換展示する場合、取り外しが簡単に素早くできるよう、強力接着剤をガラス展示品低部に塗布するとき複数カ所をあけて塗布し、取り外しのとき接着剥離剤が内部に素早く浸透し、ガラス展示品が素早く簡単に取り外しできることを、特徴とする請求項１に記載の耐震用ガラス展示品固定。
【請求項３】
ガラス展示品低部に鏡を配置することにより、ガラス展示品低部の模様や形状と色彩を鑑賞できることを、特徴とする請求項１に記載の耐震用ガラス展示品固定。
【考案の詳細な説明】
【技術分野】
【０００１】  本考案は、ガラス展示品を地震等によって、転倒・落下による破損・損傷を防止して、展示し続けることを目的とした、耐震用ガラス展示品固定に関する。
【背景技術】
【０００２】  上述したように、地震発生時展示品が展示場所から転倒したり、落下による破損．損傷を防ぐために、多くの提案がなされている。
従来の耐震装置として、免震に関する装置が提案されている（例えば特許文献１参照）【０００３】  他の耐震装置としては、地震発生と同時に、展示されている展示品が瞬時に３次元空間位置で保護する装置等がある。（例えば特許文献２参照）【０００４】  その他では、展示品の下方を磁石にて固定する装置等がある。（例えば実願文献３参照）【０００５】  その他では、展示品の下方を固定して、展示品を地震から保護する装置等がある（例えば実願文献４参照）。
【先行技術文献】
【特許文献】
【０００６】
【特許文献１】  特許第３２２２０８２号公報
【特許文献２】  特許第３４５８０８９号公報
【特許文献３】  実願２０１２−００１１０７
【特許文献４】  実願２０１２−００３４３９
【考案の概要】
【考案が解決しようとする課題】
【０００７】  特許文献１に開示された耐震装置は、載置台が地震による揺れを減少させることはできるが、強い地震では、揺れを１００％吸収できず展示された展示品が転倒．落下による破損．損傷を防ぐことは出来ない問題がある。【０００８】  特許文献２に開示された耐震装置は、展示品の大きさや形状に制限があった、大きな展示品を対象とした場合、耐震装置が大がかりとなり非常に高価となる他、展示品が複雑な形状をしている場合地震発生で３次元位置に移動する時、展示品が破損する可能性の問題がある。【０００９】  実願文献３に示された展示品下方を磁石にて固定する方法では、木造の仏像等では、仏像底辺に鉄板を固定するとき、接着剤・モクネジ・釘等での固定方法が許可されない問題がある。【００１０】    実願文献４に示された展示品下方固定装置では、展示品の形状により固定できない問題がある。
【課題を解決するための手段】
【００１１】  本考案は、ガラス展示品を展示する展示台に、金属板を配置し、その上に強力接着剤にて鏡を接着し、鏡の上に各種の形状とか大小に関係なくガラス展示品を最良の位置に配置し、
ガラス展示品低部と鏡とを強力接着剤で接着し、ガラス展示品を固定して地震に対して、ガラス展示品が転倒、落下による破損、損傷を防止することを、特徴とする耐震用ガラス展示品固定である。【００１２】  ガラス展示品低部を鏡に接着するとき、ガラス展示品を交換展示する場合、取り外しが簡単に素早くできるよう、強力接着剤をガラス展示品低部に塗布するとき複数カ所をあけて塗布し、取り外しのとき接着剥離剤が内部に素早く浸透し、ガラス展示品が素早く簡単に取り外しできることを、特徴とする耐震用ガラス展示品固定である。【００１３】  ガラス展示品低部に鏡を配置することにより、ガラス展示品低部の模様や形状と色彩を鑑賞できることを、特徴とする耐震用ガラス展示品固定である。
【考案の効果】
【００１４】  本考案は、以上に説明したように、構成されるものであるから、次に述べる効果がある。【００１５】  本考案では、ガラス展示品の低部を接着固定することにより、地震の強弱ガラス展示品の大小や形状に関係なく、安全で確実にガラス展示品を保護できる効果がある。【００１６】  本考案では、ガラス展示品の大小と形状に関係なく対応できるため、安価で経済的に、且つ効率的なガラス展示品固定を提供できる効果。
【考案を実施するための最良の形態】
【００１７】  本考案は、今まで述べたとおりガラス展示品を、鏡の上に、みやすく最良の位置になるよう自在に調整し、配置完了後ガラス展示品を強力接着剤で固定することにより、地震からガラス展示品を安全で確実に保護する。
【実施例】
【００１８】  以下、添付図に従って一実施例を説明する。図１は、ガラス展示品を固定した全体の鳥瞰図である。図２は、鏡を鉄板に固定した後に、鏡の上にガラス展示品を接着した正面図である。図３は、ガラス展示品の底面図である。【００１９】  図１で示す通り、鉄板（３）に鏡（２）を接着し、鏡（２）の上にガラス展示品（１）を最良の位置に置き、図３のガラス展示品（１）低部の複数カ所をあけて（低部斜線カ所）接着剤を塗布し、固定することにより、ガラス展示品（１）を地震から安全で確実に保護できる。
【図面の簡単な説明】
【００２０】
【図１】  本考案の、ガラス展示品固定の鳥瞰図である。
【図２】  本考案の、鉄板に鏡を接着し、その上にガラス展示品を接着した状態の正面図である。
【図３】  ガラス展示品の底面図
【符号の説明】
【００２１】  １  ガラス展示品
２  鏡
３  鉄板
４  展示台
【図１】
0003179975.tif 000003
【図２】
0003179975.tif 000004
【図３】
0003179975.tif 000005
【手続補正書】
【提出日】平成24年9月3日(2012.9.3)
【手続補正１】
【補正対象書類名】実用新案登録請求の範囲
【補正対象項目名】請求項１
【補正方法】変更
【補正の内容】
【請求項１】
展示台に配置する金属板と、ガラス展示品を配置する鏡とからなり、金属板と鏡とは強力接着剤にて接着されていることを特徴とする耐震用ガラス展示品固定具。
【手続補正２】
【補正対象書類名】明細書
【補正対象項目名】全文
【補正方法】変更
【補正の内容】
【考案の詳細な説明】
【技術分野】
【０００１】  本考案は、ガラス展示品を地震等によって、転倒・落下による破損・損傷を防止して、展示し続けることを目的とした、耐震用ガラス展示品固定具に関する。
【背景技術】
【０００２】  上述したように、地震発生時展示品が展示場所から転倒したり、落下による破損．損傷を防ぐために、多くの提案がなされている。
従来の耐震装置として、免震に関する装置が提案されている（例えば特許文献１参照）【０００３】  他の耐震装置としては、地震発生と同時に、展示されている展示品が瞬時に３次元空間位置で保護する装置等がある。（例えば特許文献２参照）【０００４】  その他では、展示品の下方を磁石にて固定する装置等がある。（例えば実願文献３参照）【０００５】  その他では、展示品の下方を固定して、展示品を地震から保護する装置等がある（例えば実願文献４参照）。
【先行技術文献】
【特許文献】
【０００６】
【特許文献１】  特許第３２２２０８２号公報
【特許文献２】  特許第３４５８０８９号公報
【特許文献３】  実願２０１２−００１１０７
【特許文献４】  実願２０１２−００３４３９
【考案の概要】
【考案が解決しようとする課題】
【０００７】  特許文献１に開示された耐震装置は、載置台が地震による揺れを減少させることはできるが、強い地震では、揺れを１００％吸収できず展示された展示品が転倒．落下による破損．損傷を防ぐことは出来ない問題がある。【０００８】  特許文献２に開示された耐震装置は、展示品の大きさや形状に制限があった、大きな展示品を対象とした場合、耐震装置が大がかりとなり非常に高価となる他、展示品が複雑な形状をしている場合地震発生で３次元位置に移動する時、展示品が破損する可能性の問題がある。【０００９】  実願文献３に示された展示品下方を磁石にて固定する方法では、木造の仏像等では、仏像底辺に鉄板を固定するとき、接着剤・モクネジ・釘等での固定方法が許可されない問題がある。【００１０】    実願文献４に示された展示品下方固定装置では、展示品の形状により固定できない問題がある。
【課題を解決するための手段】
【００１１】  展示台に、配置する金属板と、ガラス展示品を配置する鏡とからなり、金属板と鏡とは強力接着剤にて接着されていることを特徴とする耐震用ガラス展示品固定具。【００１２】  ガラス展示品低部を鏡に接着するとき、ガラス展示品を交換展示する場合、取り外しが簡単に素早くできるよう、強力接着剤をガラス展示品低部に塗布するとき複数カ所をあけて塗布し、取り外しのとき接着剥離剤が内部に素早く浸透し、ガラス展示品が素早く簡単に取り外しできることを、特徴とする耐震用ガラス展示品固定具である。【００１３】  ガラス展示品低部に鏡を配置することにより、ガラス展示品低部の模様や形状と色彩を鑑賞できることを、特徴とする耐震用ガラス展示品固定具である。
【考案の効果】
【００１４】  本考案は、以上に説明したように、構成されるものであるから、次に述べる効果がある。【００１５】  本考案では、ガラス展示品の低部を接着固定することにより、地震の強弱ガラス展示品の大小や形状に関係なく、安全で確実にガラス展示品を保護できる効果がある。【００１６】  本考案では、ガラス展示品の大小と形状に関係なく対応できるため、安価で経済的に、且つ効率的なガラス展示品固定具を提供できる効果。
【考案を実施するための最良の形態】
【００１７】  本考案は、今まで述べたとおりガラス展示品を、鏡の上に、みやすく最良の位置になるよう自在に調整し、配置完了後ガラス展示品を強力接着剤で固定することにより、地震からガラス展示品を安全で確実に保護する。
【実施例】
【００１８】  以下、添付図に従って一実施例を説明する。図１は、ガラス展示品を固定した全体の鳥瞰図である。図２は、鏡を鉄板に固定した後に、鏡の上にガラス展示品を接着した正面図である。図３は、ガラス展示品の底面図である。【００１９】  図１で示す通り、鉄板（３）に鏡（２）を接着し、鏡（２）の上にガラス展示品（１）を最良の位置に置き、図３のガラス展示品（１）低部の複数カ所をあけて（低部斜線カ所）接着剤を塗布し、固定することにより、ガラス展示品（１）を地震から安全で確実に保護できる。
【図面の簡単な説明】
【００２０】
【図１】  本考案の、ガラス展示品固定具の鳥瞰図である。
【図２】  本考案の、鉄板に鏡を接着し、その上にガラス展示品を接着した状態の正面図である。
【図３】  ガラス展示品の底面図
【符号の説明】
【００２１】１  ガラス展示品
２  鏡
３  鉄板
４  展示台